(57)【要約】【課題】運転状況に関する情報等を用いて設備機器の改善を行う。【解決手段】設備機器４０１と関連付けられた位置に設置され、設備機器４０１の運転状況を記憶する運転状況記憶手段と自己を識別する対象物識別記号が一定の関係にある信号を受信した場合に、運転状況記憶手段の記憶内容の全部または一部を送信する送信手段を有するＩＣタグ１１１を設けたものである。  また、さらに設備機器４０１と関連付けられた位置に設置され、設備機器４０１の故障状況を記憶する故障状況記憶手段を有し、設備機器４０１が故障の場合に所定の内容の情報を発信するようにしてもよい。【選択図】図１
2008225730.tif 000002
【特許請求の範囲】
【請求項１】
設備機器と関連付けられた位置に設置され、
前記設備機器の運転状況を記憶する運転状況記憶手段と、
自己を識別する対象物識別記号と一定の関係にある信号を受信した場合に前記運転状況記憶手段の記憶内容の全部または一部を携帯端末へ送信する送信手段とを有することを特徴とする受発信装置。
【請求項２】
設備機器と関連付けられた位置に設置され、
前記設備機器の故障状況を記憶する故障状況記憶手段と、
自己を識別する対象物識別記号と一定の関係にある信号を受信した場合に前記故障状況記憶手段の記憶内容の全部または一部を携帯端末へ送信する送信手段とを有することを特徴とする受発信装置。
【請求項３】
設備機器と関連付けられた位置に設置され、
前記設備機器の故障状況を記憶する故障状況記憶手段を有し、
前記設備機器が故障の場合に所定の内容の情報を携帯端末へ発信することを特徴とする受発信装置。
【請求項４】
対応する前記設備機器が故障している旨の信号を携帯端末または前記設備機器から受信した時に、
所定の内容の情報を発信することを特徴とする請求項２記載の受発信装置。
【請求項５】
前記設備機器のメンテナンス履歴情報を記憶するメンテナンス履歴情報記憶手段を有し、
前記設備機器が前記携帯端末から前記メンテナンス履歴情報を求める信号を受信した時に、前記メンテナンス履歴情報記憶手段の記憶内容の全部または一部を前記携帯端末へ発信することを特徴とする請求項１から請求項３までのいずれか１項に記載の受発信装置。
【請求項６】
前記設備機器のメンテナンス履歴情報を記憶するメンテナンス履歴情報記憶手段を有し、
前記携帯端末から前記設備機器のメンテナンス情報を受信した時に、
受信した前記メンテナンス情報に基づいてメンテナンス履歴情報記憶手段を更新することを特徴とする請求項１から請求項３までのいずれか１項に記載の受発信装置。
【発明の詳細な説明】
【技術分野】
【０００１】
本発明は、メンテナンス作業に用いる受発信装置に関する。
【背景技術】
【０００２】
従来の設備機器９０１のメンテナンスシステムの例を図６に示す。
【０００３】
図６に示すメンテナンスシステムでは、図６にあるようにメンテナンス作業の対象物である設備機器９０１には、設備機器９０１を管理するための基板９１０が取付けられている。
【０００４】
基板９１０には制御装置９１２とＩＣタグ９１１が取付けられている。
【０００５】
従って、ＩＣタグ９１１が設備機器９０１と関連付けられた位置に設置され、ＩＣタグ９１１は設備機器９０１を管理するためのものであることがわかる。
【０００６】
制御装置９１２はセンサ４１１からの入力信号に基づいてアクチュエータ４１２に対して出力すべき出力信号を計算している。
【０００７】
制御装置９１２はメンテナンスに利用可能な情報（たとえばセンサからの入力信号の内異常な値）を選択してＩＣタグ９１１に記憶させている。
【０００８】
設備機器を巡廻する担当者が対象の設備機器９０１のところまで携帯端末９２０を運び携帯端末９２０を操作すると、携帯端末９２０からＩＣタグ９１１に対して蓄積している情報を送信するよう求める信号が発信される。
【０００９】
ＩＣタグ９１１は携帯端末９２０からの信号を受信すると蓄積していた情報を発信する。
【００１０】
携帯端末９２０はＩＣタグ９１１から発信された情報を受信し内部の記憶装置に記憶する。
【００１１】
設備機器の巡廻が終わった後に、システム全体を管理するための情報処理装置（図示せず）にＩＣタグ９１１から受信したデータを送信して、設備機器のメンテナンスに利用する（たとえば、特許文献１参照）。
【特許文献１】特開２００６−８５５７３号公報
【発明の開示】
【発明が解決しようとする課題】
【００１２】
しかしながらこのようなメンテナンスシステムでは、ＩＣタグと携帯端末との間でメンテナンスに必要な情報をやり取りすることはできるが、メンテナンス以外には情報を利用していないため、設備機器の諸項目の改善には利用することができないという問題がある。
【００１３】
本発明は上記課題を解決するためになされたもので、運転状況に関する情報等を用いて設備機器の改善を行うものである。
【課題を解決するための手段】
【００１４】
上述したような課題を解決するために、本発明の受発信装置は、
設備機器と関連付けられた位置に設置され、
設備機器の運転状況を記憶する運転状況記憶手段と、
自己を識別する対象物識別記号と一定に関係にある信号を受信した場合に運転状況記憶手段の記憶内容の全部または一部を送信する送信手段を有することを特徴としている。
【００１５】
このような構成によれば、設備機器の運転状況の情報を蓄積して利用することが可能なため、設備機器の改善をすることができる。
【発明の効果】
【００１６】
本発明の受発信装置は、
設備機器と関連付けられた位置に設置され、
設備機器の運転状況を記憶する運転状況記憶手段と、
自己を識別する対象物識別記号と一定の関係にある信号を受信した場合に運転状況記憶手段の記憶内容の全部または一部を携帯端末へ送信する送信手段とを有することを特徴とする。
【００１７】
このような構成によれば、設備機器の運転状況の記録を利用することができるため、設備機器の改善を行うことができる。
【発明を実施するための最良の形態】
【００１８】
本発明の受発信装置は、
設備機器と関連付けられた位置に設置され、
設備機器の運転状況を記憶する運転状況記憶手段と、
自己を識別する対象物識別記号と一定の関係にある信号を受信した場合に運転状況記憶手段の記憶内容の全部または一部を携帯端末へ送信する送信手段とを有することを特徴とする。
【００１９】
このような構成により、運転状況の記録を利用することができるため、設備機器の改善を行うことができる。
【００２０】
また、
設備機器と関連付けられた位置に設置され、
設備機器の故障状況を記憶する故障状況記憶手段と、
自己を識別する対象物識別記号と一定の関係にある信号を受信した場合に故障状況記憶手段の記憶内容の全部または一部を送信する送信手段とを有することを特徴としてもよい。
【００２１】
このような構成にすることにより、故障状況の記録を利用することによって、故障履歴を用いて不具合を調べることができるため、設備機器の諸項目の改善を行うことができる。
【００２２】
また、
設備機器と関連付けられた位置に設置され、
設備機器の故障状況を記憶する故障状況記憶手段を有し、
設備機器が故障の場合に所定の内容の情報を携帯端末へ発信することを特徴としてもよい。
【００２３】
このような構成にすることにより、故障した設備機器の問合せの有無にかかわりなく故障した旨の情報を発信するため、メンテナンス予定外の設備機器が故障した場合でも早期に対応することができる。
【００２４】
また、
対応する設備機器が故障している旨の信号を携帯端末または設備機器から受信した時に、
所定の内容の情報を発信することを特徴としてもよい。
【００２５】
このような構成にすることにより、故障した旨の情報を受信した後に故障した旨の情報等を発信するため、メンテナンス予定外の設備機器が故障した場合でも早期に対応することができる。
【００２６】
また、
設備機器のメンテナンス履歴情報を記憶するメンテナンス履歴情報記憶手段を有し、
設備機器が携帯端末からメンテナンス履歴情報を求める信号を受信した時に、メンテナンス履歴情報記憶手段の記憶内容の全部または一部を携帯端末へ発信することを特徴としてもよい。
【００２７】
このような構成にすることにより、今までのメンテナンス履歴を知った上でメンテナンスを行うことができるため、故障時のメンテナンスを適切に行うことができる。
【００２８】
また、
設備機器のメンテナンス履歴情報を記憶するメンテナンス履歴情報記憶手段を有し、
携帯端末から設備機器のメンテナンス情報を受信した時に、
受信したメンテナンス情報に基づいてメンテナンス履歴情報記憶手段を更新することを特徴としてもよい。
【００２９】
このような構成にすることにより、メンテナンスの履歴を記録することができるため、故障時のメンテナンスを適切に行うことができる。
【００３０】
以下、本発明の実施の形態について、図面を参照しながら説明する。
【００３１】
（第１の実施の形態）
図１は本発明の第１の実施の形態における説明図であり、図２は本発明の第１の実施の形態における故障状況記憶手段の説明図である。
【００３２】
図１において、従来技術の説明と同じものは同じ符号を付けている。
【００３３】
設備機器４０１には、その設備機器４０１を管理する受発信装置としてＩＣタグ１１１を用いている。
【００３４】
設備機器４０１に制御用プリント基板１１０が取付けられており、そのプリント基板１１０にＩＣタグ１１１が取付けられている。
【００３５】
なお、この例に限る必要はなく、ＩＣタグ１１１は設備機器４０１に直接取付けられていてもよいし、設備機器４０１の近くに設置されたプレート等に埋め込まれていてもよい。
【００３６】
ＩＣタグ１１１には設備機器４０１の運転状況に関する情報が蓄積される。
【００３７】
たとえば、計測装置（センサ４１１等）から制御装置１１２へ送られてくる計測値（温度、タンクの水位、流量、電圧等）と制御装置１１２から設備機器４０１を制御する制御信号（バルブの開閉、ヒーターの入力電圧、モータの入力電圧等）を所定の時間毎にＩＣタグ１１１に対して送信し、ＩＣタグ１１１は受信した情報を受信した時刻または、受信した情報に付された時刻と関連付けて記録する。
【００３８】
ＩＣタグ１１１に記録された結果は、たとえば図２のようになる。
【００３９】
ＩＣタグ１１１に蓄積された情報は、設備機器４０１の点検でメンテナンス担当者がメンテナンス用の携帯端末１２０を持って巡廻した時に、携帯端末１２０からＩＣタグ１１１に対して、記憶内容の送信を求める旨の信号を送信する。
【００４０】
送信する具体的な情報は、たとえば、宛先を示すためにＩＣタグ１１１が自己を識別するための対象物識別番号と運転状況の情報を求めることを表す命令コードを関連付けた情報である。
【００４１】
「自己を識別するための対象物識別記号」とは、設備機器を特定するために識別記号であってもよいし、設備機器の部分（設備機器に取付けられたメータ等）を特定するための識別記号であってもよい。
【００４２】
あるいは、「自己を識別するための対象物識別記号」はＩＣタグを特定するためにＩＣタグに記録された識別記号であって、その識別記号を設備機器を特定するために利用するものであってもよい。
【００４３】
その信号を受信したＩＣタグ１１１は、その信号が自己を識別する対象物識別記号と一定の関係にあることを認識すると、その信号の指示に従って、ＩＣタグ１１１内の運転状況記憶手段の内容を携帯端末１２０に向けて送信する。
【００４４】
「一定の関係」とは、受信した信号と自己を識別する対象物識別記号が同一である場合でもよいし、受信した信号が暗号化されている場合は複合化の演算をした結果が一致する場合でもよい。
【００４５】
すなわち、受信した信号と自己のメンテナンス作業の対象物を識別する対象物識別記号を用いて計算をした結果、受信した信号の送信先が自己のメンテナンス作業の対象物を識別する対象物識別記号で特定される受発信装置であることがわかれば、受信した内容と自己の識別記号は「一定の関係」にある。
【００４６】
携帯端末１２０はＩＣタグ１１１から受信したＩＣタグ１１１内の運転状況記憶手段の内容を記憶して、巡廻が終了した時にシステム全体を管理する情報処理装置（図示せず）へ送信する。
【００４７】
システム全体を管理する情報処理装置では、運転状況記憶手段の内容から、その設備機器が問題なく制御されているかを判定し、問題がある場合は、制御信号を求めるための計算式のパラメータを変更する等の指示を出す。
【００４８】
また、必要があれば設備機器４０１の改善を行う時に利用することができる。
【００４９】
たとえば、水を用いる設備機器において、タンクの液量の測定結果からタンクから液体が溢れ出すことがあることがわかれば、タンクをさらに大きなものに取り替えるとか、搬送用設備機器において、モータの必要な制御量がモータの能力を超えていることがわかった場合は、モータをさらに能力の高いものに交換する等の改善を行うことができる。
【００５０】
また、運転状況を記録した設備機器と同じ機能を有する設備機器を新たに設計する時に利用することができる。
【００５１】
たとえば、運転実績データを蓄積すれば、設備機器の制御値を求めるための計算式のパラメータの適切な値がわかり、次回同じ設備機器を使用する時は、最初からその適切なパラメータを使ってより適切な運転から適用することができる。
【００５２】
また、運転の実績データから設計時に予想できなかった問題があることがわかった場合は、次回同じ仕組みを有する設備機器を設計する時にその問題が発生しないよう考慮して設計することができる。
【００５３】
（第２の実施の形態）
図３は本発明の第２の実施の形態における故障状況記憶手段の説明図である。
【００５４】
図４も本発明の第２の実施の形態の説明図である。
【００５５】
設備機器には、その設備機器を管理する受発信装置としてＩＣタグを用いている。
【００５６】
ＩＣタグは設備機器に直接取付けられていてもよいし、設備機器の近くに設置されたプレート等に埋め込まれていてもよい。
【００５７】
すなわち、ＩＣタグは、設備機器と関連付けられた位置に設置されていればよい。
【００５８】
ＩＣタグには、故障状況に関する情報が蓄積される。
【００５９】
たとえば図４に示された設備機器で説明すると、メンテナンス対象の設備機器２００はその中にセンサ２０１とセンサ２０２を有し、センサ２０１とセンサ２０２の出力はＩＣタグ３０１に入力される。
【００６０】
設備機器２００のある部分が故障するとセンサ２０１の出力が所定範囲外の値となる。
【００６１】
また、他のある部分が故障するとセンサ２０２の出力が所定範囲外となる。
【００６２】
たとえば、センサ２０１として、サーミスタを用いた場合、そのサーミスタが故障した時の抵抗値の測定結果が１０Ω以下（すなわちサーミスタの端子がショートした状態）、または５００ｋΩ以上の値（すなわちサーミスタの端子が切れた状態）であればサーミスタが故障したと判定する。
【００６３】
ＩＣタグ３０１は、センサ２０１とセンサ２０２からの信号が所定範囲外になっていないかを定期的に判断し、所定範囲外になっていることを発見すると故障した旨をその時の時刻と関連付けて故障状況記憶手段３０２に記録をする。
【００６４】
また、メンテナンス担当者が外観検査等で故障を発見した場合も、メンテナンス担当者が故障状況を携帯端末１０１に入力して、送信の指示をすると、メンテナンス担当者が携帯端末に入力した内容が携帯端末１０１からＩＣタグ３０１へ送信される。
【００６５】
携帯端末１０１から情報を受信したＩＣタグ３０１は、その情報を故障状況記憶手段３０２に記憶させる。
【００６６】
このようにして蓄積された故障状況記憶手段３０２の記憶内容は、たとえば図３のような内容になる。
【００６７】
そして、上記のように蓄積された故障状況記憶手段３０２の内容は下記のように利用される。
【００６８】
すなわち、メンテナンス担当者が巡廻でメンテナンス予定の設備機器の近くまで来た時に、携帯端末１０１を操作するとＩＣタグ３０１に対して故障状況の問合せ信号を発信する。
【００６９】
ＩＣタグ３０１は、上記の故障状況の問合せ信号に対して現在の故障状況を返信する。
【００７０】
具体的には、故障の状態（故障に箇所や部品、修理や部品を手配したか否か等）を返信する。
【００７１】
もし、故障が発生しており、かつ、部品の手配等が済んでいない場合は部品の手配等を行う。
【００７２】
一方、故障が発生していない場合や、故障が発生した後に部品の手配、応急処置等が済んでおり、部品の到着を待つしかない場合は、この故障については、故障情報の確認のみで作業を終わる。
【００７３】
携帯端末１０１に記憶された故障履歴は、巡廻終了後に、システム全体、すなわち複数の設備機器の集合を管理する情報処理装置（図示せず）に転送される。
【００７４】
このようにして、システム全体を管理する情報処理装置に蓄積された情報は、システムの改良にも利用することができる。
【００７５】
たとえば、このようにして蓄積された故障履歴から、故障しやすい箇所、同一の設備に使われている他の部品に比べて寿命が短い部品と設計時に予測していた寿命よりも寿命が短い部品の有無がわかる。
【００７６】
故障しやすい箇所に対しては、次回同じ種類のシステムを設計する時に改良できないか検討することが可能である。
【００７７】
また、寿命が短い部品については、他に寿命の長い部品に変更できないかを検討することが可能となる。
【００７８】
（第３の実施の形態）
図４は本発明の第３の実施の形態における故障状況記憶手段の説明図でもある。
【００７９】
設備機器２００と関連付けられた本実施の形態のＩＣタグ（受発信装置）３０１は、図３記載の故障状況記憶手段３０２を有している。
【００８０】
ＩＣタグ３０１は、所定の時間間隔で、記憶内容を読み取って未処理の故障がないかを調べる。
【００８１】
すなわち、状況が「完了」となっているものは読み飛ばし、「未対応」の故障や「未発注」の部品の行があれば、その行に書かれた情報を、その設備機器を特定する対象物識別記号と関連付けて、所定の内容の情報として携帯端末１０１へ発信する。
【００８２】
「所定の内容の情報」は故障の内容でもよいし、単に故障していることを表す情報のみでもよい。
【００８３】
故障の内容まで送信した場合は、その内容を受信するのみで故障内容がわかるため、ＩＣタグ３０１の受信機能が故障した時にも故障の内容を知ることができるというメリットがある。
【００８４】
一方、故障していることのみを表す情報を送信した場合は、情報量が少なくて済むため、ＩＣタグ３０１に電力を供給している電源の消耗を遅らせることが可能となる。
【００８５】
従って、長時間巡廻が行われない場合等でも、ＩＣタグ３０１に電力を供給している電源の消耗により電波が送れなくなる場合を無くす、または、減らすことが可能となる。
【００８６】
このＩＣタグ３０１が情報を発信している時に、携帯端末１０１を持ったメンテナンス担当者が通りがかると携帯端末１０１がその情報を受信する。
【００８７】
その場で応急処置が可能な場合等メンテナンス担当者が対応する必要があれば、携帯端末１０１に必要な対応が表示される。
【００８８】
このように、故障した設備機器２００に対応するＩＣタグ３０１から発信されることにより、メンテナンス予定外の設備機器２００が故障した場合にも早期の対応が可能となる。
【００８９】
また、常に所定の間隔で故障状況記憶手段３０２の内容を読んでいるため、停電で一時ＩＣタグ３０１の動作が停止しても、ＩＣタグ３０１に電力を供給している電源が復帰してＩＣタグ３１０が働くようになると自動的に故障した旨の情報の発信を再開することができる。
【００９０】
上記の実施の形態では、所定の時間間隔で情報を発信する場合について説明をしたが、これに代えて、携帯端末１０１側から所定の時間間隔で故障情報を求める旨の信号を発信し、この信号を受信したＩＣタグ３０１が上記の動作をするようにしてもよい。
【００９１】
（第４の実施の形態）
図４は、本発明の第４の実施の形態における故障状況記憶手段の説明図でもある。
【００９２】
ＩＣタグ３０１は、センサ２０１またはセンサ２０２から設備機器が故障した旨の信号を受信する。
【００９３】
たとえば、センサ２０１またはセンサ２０２から出力される値が所定の範囲外となる場合は、センサ２０１またはセンサ２０２からの所定の範囲外の値の出力が故障した旨の信号となる。
【００９４】
故障した旨の信号を受信したＩＣタグ３０１は、対応する設備機器が故障した旨の信号を所定の間隔で発信する。
【００９５】
この時に、ＩＣタグ３０１の近くを、携帯端末１０１を持つメンテナンス担当者が通ると、携帯端末１０１が故障等の発生を認識して、故障の内容を問い合わせる信号を送信する。
【００９６】
ＩＣタグ３０１は、携帯端末１０１からの上記の信号を受信すると故障の内容を携帯端末１０１に対して送信する。
【００９７】
携帯端末１０１に対する故障内容の送信が終わると、対応する設備機器が故障した旨の発信をやめる。
【００９８】
携帯端末１０１は故障内容に応じて必要があればメンテナンス担当者に指示を出し、巡廻が終了してシステム全体を管理する情報処理装置（図示せず）と接続された場合はＩＣタグ３０１から受けとった情報を、システム全体を管理する情報処理装置（図示せず）に送信する。
【００９９】
システム全体を管理する情報処理装置（図示せず）は、部品の手配を行う時にこの情報を用いる。
【０１００】
（第５の実施の形態）
図５は、本発明の第５の実施の形態におけるメンテナンス履歴情報記憶内容の説明図である。
【０１０１】
メンテナンスの対象となる設備機器と関連付けられたＩＣタグ（受発信装置）には、たとえば、図５に記載された内容を記憶するメンテナンス履歴情報記憶手段を有する。
【０１０２】
メンテナンス担当者が設備機器のメンテナンス（部品の交換、清掃、点検等）をした場合は、携帯端末にメンテナンスした内容を入力してＩＣタグに送信する操作をする。
【０１０３】
また、設備機器自身が部品の交換がされたことや故障を認識できる場合は、設備機器から認識したメンテナンスに関する情報をＩＣタグに対して有線または無線で送信する。
【０１０４】
ＩＣタグは受信したメンテナンスに関する情報をメンテナンス履歴情報記憶手段に記憶させる。
【０１０５】
以上のようにしてＩＣタグに蓄積されたメンテナンス履歴情報は下記のように利用される。
【０１０６】
メンテナンス担当者が携帯端末を操作してメンテナンス履歴情報を参照すると、携帯端末からＩＣタグに対して、メンテナンス履歴情報を求める信号を送信する。
【０１０７】
メンテナンス履歴を求める信号を受信したＩＣタグはメンテナンス履歴情報記憶手段からメンテナンスの履歴情報の全部または一部を取得して携帯端末へ送信する。
【０１０８】
メンテナンス履歴情報を受信した携帯端末は受信した内容を記憶する。
【０１０９】
メンテナンスの履歴がメンテナンス作業に必要な場合は、携帯端末の表示装置にメンテナンス履歴情報が表示される。
【０１１０】
たとえば、部品が故障している場合は、その部品が手配済みか否かも表示される。
【０１１１】
部品が未手配の場合は、メンテナンス担当者は部品の手配を行う。
【０１１２】
部品の手配をした後に、部品を手配した旨と部品の到着予定を携帯端末に入力しＩＣタグに対してその内容を送信すると、その内容がＩＣタグに記録される。
【０１１３】
一方、部品が手配済みであることがわかれば、部品の到着予定と現在の日時を比べる。
【０１１４】
部品の到着予定の日時を過ぎていて、部品の交換が終わっていない時は、部品の到着予定を再度確認する等必要な処置をする。
【０１１５】
部品の到着予定の日時を過ぎていない場合はそのまま、部品の到着を待つ。
【０１１６】
このように、部品発注や修理手配が記録され、その情報が参照できるため、部品を重ねて注文したり、修理手配をダブってしたりすることを防止することが可能となる。
【０１１７】
たとえば、図５に示す情報がＩＣタグに記録されていた場合は、１行目から７行目はすでに完了しているため対応不要である。
【０１１８】
８行目に異常を検出した旨の記録がある。この異常は部品コード「１８８０」の部品の不具合が原因であることが９行目でわかる。
【０１１９】
１０行目ですでに部品を発注したことがわかり、１１行目で部品の交換が終わっていることがわかる。
【０１２０】
従って、８行目に記録された異常に対してはすでに修理が完了していて対応が不要であることがわかる。
【０１２１】
なお、図５のように、部品の交換やメンテナンスをした原因が、磨耗等一定時間が経過することにより発生したものか、地震等の偶発的なものにより発生したものかを区別して記録することにより、部品交換やメンテナンスに必要性の高い時期にメンテナンスの予定をすることが可能となる。
【０１２２】
たとえば、図５の場合であれば２００８／９／１０（２００８年９月１０日を表す）に磨耗した部品を交換しているので、この部品は６５日間使用すると磨耗して交換が必要となることがわかる。
【０１２３】
従って、次の交換時期は２００８／１１／１４ごろであることが予想される。
【０１２４】
そこで、２００８／１１／１４にこの部品を交換するメンテナンスの予定を入れ、この時期に部品が届くように先行して部品の発注をしておくと、メンテナンスの効率がよくなる。
【０１２５】
すなわち、部品が必要になってから注文すると、短期間で運送してもらう必要があるのに対して、部品を早めに手配することにより、他の部品と同梱で運ぶことができる等費用を削減できるからである。
【０１２６】
また、故障してから部品を交換するまでその設備機器の能力が下がる場合は、部品をあらかじめ準備できるため、すぐに部品を交換でき、その設備機器の能力が下がる期間を短縮でき、設備機器をより効率よく利用することができる。
【０１２７】
また、設備機器に対応した場所にＩＣタグがあるため、その設備機器をシステムから切り離し、他のシステムに接続して使用する場合に、対応するＩＣタグを設備機器と対応させたまま移動するとそれまでの設備機器の履歴をそのまま利用することが可能となる。
【０１２８】
すなわち、設備機器を今までと異なるシステムに移設した場合でも、部品の交換時期やメンテナンスのタイミング等のノウハウを失うことが無いというメリットがある。
【産業上の利用可能性】
【０１２９】
本発明に係る受発信装置は、メンテナンス作業に有用である。
【図面の簡単な説明】
【０１３０】
【図１】本発明の第１の実施の形態における説明図
【図２】本発明の第１の実施の形態における故障状況記憶手段の説明図
【図３】本発明の第２の実施の形態における故障状況記憶手段の説明図
【図４】本発明の第２〜第４の実施の形態における故障状況記憶手段の説明図
【図５】本発明の第５の実施の形態におけるメンテナンス履歴情報記憶内容の説明図
【図６】従来の受発信装置を用いたメンテナンスシステムの説明図
【符号の説明】
【０１３１】
１０１，１２０    携帯端末
１１１，３０１    ＩＣタグ（受発信装置）
３０２    故障状況記憶手段
【図１】
2008225730.tif 000003
【図２】
2008225730.tif 000004
【図３】
2008225730.tif 000005
【図４】
2008225730.tif 000006
【図５】
2008225730.tif 000007
【図６】
2008225730.tif 000008